(57)【特許請求の範囲】
【請求項１】
撮像装置の装置本体に対して着脱可能に固定されるとともに、第１のマウントを備えた交換レンズが着脱可能に装着される第２のマウントを備えたレンズアダプタに設けられ、前記装置本体と前記交換レンズとの間の通信を可能にする電気通信ユニットであって、
前記レンズアダプタの前記第２のマウントに前記交換レンズの前記第１のマウントが装着されることで、前記交換レンズに対して電気的に接続される複数の接点部を有する第１電気接続部と、
前記レンズアダプタが前記装置本体に固定されることで、前記装置本体に対して電気的に接続される複数の接点部を有する第２電気接続部と、を備え、
前記第１電気接続部の複数の接点部は、前記交換レンズの光軸を中心として円弧状に配置され、
前記第２電気接続部の複数の接点部は、前記交換レンズの光軸と直交する前記装置本体の幅方向に沿って直線状に並設され、
前記第２電気接続部は、前記第１電気接続部より前記レンズアダプタの径方向外側に配置され、且つ前記レンズアダプタが前記装置本体に固定された状態で前記レンズアダプタの外部に露出しないことを特徴とする電気通信ユニット。
【請求項２】
前記第１電気接続部の複数の接点部は、複数のピン状端子で構成され、前記第２電気接続部の複数の接点部は、櫛歯状の端子で構成されることを特徴とする請求項１に記載の電気通信ユニット。
【請求項３】
前記第２電気接続部の複数の接点部は、前記撮像装置に設けられた複数の板状端子に対応したＬ字形の開口部により形成された櫛歯状の端子で構成されることを特徴とする請求項２に記載の電気通信ユニット。
【請求項４】
前記レンズアダプタに前記交換レンズが装着されたか否かを検出する検出手段を備え、前記検出手段は、前記第１電気接続部より前記レンズアダプタの径方向外側に配置されることを特徴とする請求項１乃至３のいずれか一項に記載の電気通信ユニット。
【請求項５】
前記第１電気接続部と前記第２電気接続部とを電気的に接続する基板を備え、
前記基板は、前記電気通信ユニットを保持する保持部材に対して、前記電気通信ユニットを前記保持部材に締結する締結部材を介して電気的に導通して接地されるパターン露出部を有することを特徴とする請求項１乃至４のいずれか一項に記載の電気通信ユニット。 
【請求項６】
前記交換レンズから入射する被写体光の一部の光を拡散する遮光手段を備えることを特徴とする請求項１乃至５のいずれか一項に記載の電気通信ユニット。
【請求項７】
撮像装置の装置本体に対して着脱可能に固定されるとともに、第１のマウントを備えた交換レンズが着脱可能に装着される第２のマウントを備えたレンズアダプタであって、
請求項１乃至６のいずれか一項に記載の電気通信ユニットを備えることを特徴とするレンズアダプタ。
【発明の詳細な説明】
【技術分野】
【０００１】
本発明は、例えばデジタルカメラ等の撮像装置の装置本体に着脱可能に装着される交換レンズのレンズアダプタに設けられる電気通信ユニットの改良に関する。
【背景技術】
【０００２】
レンズ交換型のカメラでは、レンズマウントの形状と異なるレンズマウントを有する交換レンズをカメラ本体に装着する際には、レンズアダプタを介してカメラ本体のレンズマウントに対して交換レンズを着脱可能に装着している。そして、交換レンズとカメラ本体との通信を可能とするため、レンズアダプタには、電気通信ユニットが設けられているものが多い。
【０００３】
ところで、電気通信ユニットを有するレンズアダプタは、交換レンズ側、又はカメラ本体側に電気通信ユニット対応する電気接続部が設けられていない場合、電気通信ユニットが干渉して使用できないことがある。
【０００４】
そこで、交換レンズとカメラを合わせ面でマウント結合する際に、固定側コネクタの接点ピンで可動側コネクタの接点部を押して、可動側コネクタを合わせ面まで移動させる技術が提案されている。この提案では、合わせ面まで移動した可動側コネクタは、ばねの付勢力によって電気的接点が外れないような適切な力で押し戻された状態で保持される（特許文献１）。
【先行技術文献】
【特許文献】
【０００５】
【特許文献１】特開平１１−２１８８２７号公報
【発明の概要】
【発明が解決しようとする課題】
【０００６】
しかし、上記特許文献１では、コネクタの移動機構やばねが必要となるため、構造が複雑となって電気的な導通不良の原因となり、電気的な接続の信頼性が低下するおそれがある。
【０００７】
そこで、本発明は、簡単な構造で、電気的接続の高い信頼性を確保して、撮像装置の装置本体と交換レンズとの間の良好な通信を実現する電気通信ユニットを提供することを目的とする。
【課題を解決するための手段】
【０００８】
上記目的を達成するために、本発明は、撮像装置の装置本体に対して着脱可能に固定されるとともに、第１のマウントを備えた交換レンズが着脱可能に装着される第２のマウントを備えたレンズアダプタに設けられ、前記装置本体と前記交換レンズとの間の通信を可能にする電気通信ユニットであって、前記レンズアダプタの前記第２のマウントに前記交換レンズの前記第１のマウントが装着されることで、前記交換レンズに対して電気的に接続される複数の接点部を有する第１電気接続部と、前記レンズアダプタが前記装置本体に固定されることで、前記装置本体に対して電気的に接続される複数の接点部を有する第２電気接続部と、を備え、前記第１電気接続部の複数の接点部は、前記交換レンズの光軸を中心として円弧状に配置され、前記第２電気接続部の複数の接点部は、前記交換レンズの光軸と直交する前記装置本体の幅方向に沿って直線状に並設され、前記第２電気接続部は、前記第１電気接続部より前記レンズアダプタの径方向外側に配置され、且つ前記レンズアダプタが前記装置本体に固定された状態で前記レンズアダプタの外部に露出しないことを特徴とする。
【発明の効果】
【０００９】
本発明によれば、簡単な構造で、電気的な接続の信頼性が高い電気通信ユニットを実現することが可能となる。
【図面の簡単な説明】
【００１０】
【図１】本発明の実施形態の一例である電気通信ユニットを有するレンズアダプタを介してカメラ本体に交換レンズが着脱可能に装着された状態のデジタルカメラを正面側（被写体側）から見た斜視図である。
【図２】交換レンズを背面側から見た斜視図である。
【図３】（ａ）は撮像素子ユニットを正面側から見た分解斜視図、（ｂ）は（ａ）に示す撮像素子ユニットを背面側から見た分解斜視図である。
【図４】（ａ）は撮像素子保護ユニットを正面側から見た分解斜視図、（ｂ）は（ａ）に示す撮像素子保護ユニットを背面側から見た分解斜視図である。
【図５】（ａ）は固定ユニットを正面側から見た分解斜視図、（ｂ）は（ａ）に示す固定ユニットを背面側から見た分解斜視図である。
【図６】図５（ａ）に示す固定ユニットの組立体の斜視図である。
【図７】（ａ）は固定ユニットを構成する電気通信ユニットを正面側から見た斜視図、（ｂ）は（ａ）に示す電気通信ユニットを背面側から見た斜視図である。
【図８】（ａ）は本発明の実施形態の一例であるレンズアダプタを正面側から見た分解斜視図、（ｂ）は（ａ）に示すレンズアダプタを背面側から見た分解斜視図である。
【図９】（ａ）はレンズアダプタの電気通信ユニットと保持部材を正面側から見た分解斜視図、（ｂ）は（ａ）に示す電気通信ユニットと保持部材を背面側から見た分解斜視図である。
【図１０】交換レンズをレンズアダプタに装着する際のメカニカルスイッチの動作を説明する部分斜視図である。
【図１１】電気通信ユニットの電気接続部を背面側下方から見た斜視図である。
【図１２】レンズアダプタを正面側から光軸方向に見た図である。
【図１３】レンズアダプタの電気通信ユニットを背面側から見た図である。
【図１４】レンズアダプタをカメラ本体に組み込んだ状態での弾性部材を示す要部断面図である。
【図１５】レンズアダプタをカメラ本体に組み込んだ状態を示す要部断面図である。
【図１６】カメラ本体に対してスペーサを介してレンズアダプタを取り付ける様子を示す斜視図である。
【図１７】カメラ本体に取り付けられたレンズアダプタに交換レンズが装着された状態を示す要部断面図である。
【図１８】カメラ本体の固定ユニットから撮像素子保護ユニットを取り外す様子を示す要部断面図である。
【発明を実施するための形態】
【００１１】
以下、図面を参照して、本発明の実施形態の一例を説明する。
【００１２】
図１は、本発明の実施形態の一例である電気通信ユニットを有するレンズアダプタを介してカメラ本体に交換レンズが着脱可能に装着された状態のデジタルカメラを正面側（被写体側）から見た斜視図である。なお、図１では、デジタルカメラのカメラ本体１００及び交換レンズ１５０は、説明の便宜上、破線で図示している。また、本実施形態では、撮像装置の装置本体の一例としてデジタルカメラのカメラ本体を例示するが、これに限定されない。
【００１３】
図１に示すように、デジタルカメラのカメラ本体１００の正面側には、レンズアダプタ４００を介して交換レンズ１５０が着脱可能に装着されている。カメラ本体１００には、撮像素子ユニット３００、撮像素子保護ユニット３５０、及び固定ユニット２００が設けられている。
【００１４】
図２は、交換レンズ１５０を背面側（カメラ本体１００への装着面側）から見た斜視図である。図２に示すように、交換レンズ１５０の背面側には、マウント部１５１が設けられ、マウント部１５１の径方向内側には、係合爪部１５２ａ〜１５２ｃが周方向に略等間隔で設けられている。また、交換レンズ１５０の背面側の係合爪部１５２ｂと係合爪部１５２ｃとの間には、電気接続部１５３が設けられている。
【００１５】
図３（ａ）は撮像素子ユニット３００を正面側から見た分解斜視図、図３（ｂ）は図３（ａ）に示す撮像素子ユニット３００を背面側から見た分解斜視図である。図３に示すように、撮像素子ユニット３００は、撮像素子３１０が実装される素子基板３２０と、素子基板３２０に実装された撮像素子３１０を保持する保持部材３３０とを備える。
【００１６】
撮像素子３１０は、交換レンズ１５０を通過して撮像面３１１に結像した被写体像を光電変換して画像信号を出力する。素子基板３２０は、撮像素子３１０から出力された画像信号に対して所定の処理を施して不図示のメイン基板に出力する。保持部材３３０の中央部には、固定部３３１が設けられ、固定部３３１には、素子基板３２０に実装された撮像素子３１０が接着等により固定される。
【００１７】
図４（ａ）は撮像素子保護ユニット３５０を正面側から見た分解斜視図、図４（ｂ）は図４（ａ）に示す撮像素子保護ユニット３５０を背面側から見た分解斜視図である。撮像素子保護ユニット３５０は、レンズアダプタ４００と撮像素子ユニット３００との間に配置され、図４に示すように、中央部に露光開口部３７２が形成された略矩形枠状の保持部材３７０を備える。保持部材３７０の背面側において、露光開口部３７２の周囲には、撮像素子３１０側に突出する固定部３７１が設けられ、固定部３７１には、ガラス部材３６０が両面テープ等によって固定されている。また、保持部材３７０の固定部３７１の周囲の面には、固定ユニット２００と面接触する接触部３７３が設けられている。
【００１８】
図５（ａ）は固定ユニット２００を正面側から見た分解斜視図、図５（ｂ）は図５（ａ）に示す固定ユニット２００を背面側から見た分解斜視図である。図６は、図５（ａ）に示す固定ユニット２００の組立体の斜視図である。図７（ａ）は固定ユニット２００を構成する電気通信ユニット２５０を正面側から見た斜視図、図７（ｂ）は図７（ａ）に示す電気通信ユニット２５０を背面側から見た斜視図である。
【００１９】
図５及び図６に示すように、固定ユニット２００は、略円環状の固定部材２１０を有する。固定部材２１０の正面側には、図５（ａ）に示すように、撮像素子保護ユニット３５０が固定される固定部２２１、及びレンズアダプタ４００が固定される固定部２２３ａ〜２２３ｄが設けられている。また、固定部材２１０の正面側には、レンズアダプタ４００の後述するリング状の弾性部材４９０（図８参照）が光軸方向に接触する接触部２３０が設けられ、固定部材２１０の底部には、空気孔２２５が形成されている。
【００２０】
固定部２２１には、撮像素子保護ユニット３５０の保持部材３７０に設けられた接触部３７３が面接触する。このため、部材同士の合わせ部は密閉構造となり、部材同士の合わせ部から撮像素子ユニット３００に塵埃等の異物が侵入するのを防ぐことが可能となる。
【００２１】
一方、固定部材２１０の背面側には、図５（ｂ）に示すように、電気通信ユニット２５０が固定される固定部２２０、及び撮像素子ユニット３００が固定される固定部２２２ａ〜２２２ｃが設けられている。電気通信ユニット２５０は、端子部材２６０を保持する保持部材２７０を有する。
【００２２】
固定部２２０には、電気通信ユニット２５０の保持部材２７０に設けられた接触部２７１が面接触する。このため、部材同士の合わせ部は密閉構造となり、部材同士の合わせ部から撮像素子ユニット３００側に塵埃等の異物が侵入するのを防ぐことが可能となる。また、保持部材２７０には、端子部材２６０がインサート成形され、これにより、保持部材２７０と端子部材２６０との間から塵埃等の異物が侵入することができない密閉構造となる。
【００２３】
端子部材２６０は、複数の板状端子からなる接点部２６２ａ〜２６２ｊ、及び複数のピン状端子からなる接点部２６６ａ〜２６６ｊを有する。接点部２６２ａ〜２６２ｊは、レンズアダプタ４００側に向けて突設され、接点部２６６ａ〜２６６ｊは、撮像素子３１０側に向けて突設されている。また、複数の接点部２６２ａ〜２６２ｊは、カメラ本体１００の底面側に配置され、それぞれの板面を光軸と直交するカメラ本体１００の幅方向に互いに対向させた状態で直線状に並設された櫛歯状の雄端子を形成している。
【００２４】
固定部２２２ａ〜２２２ｃは、不図示のスペーサを介して撮像素子ユニット３００に固定される。固定部２２２ａ〜２２２ｃと撮像素子ユニット３００との間にスペーサを挟むことで、フランジバックを調整することが可能となる。フランジバックとは、レンズアダプタの種類ごとに規定されており、後述する固定マウント部材４１０のマウント部４１１（図８（ａ）参照）から撮像素子ユニット３００の撮像素子３１０の撮像面３１１までの距離のことである。
【００２５】
図８（ａ）は本発明の実施形態の一例であるレンズアダプタ４００を正面側から見た分解斜視図、図８（ｂ）は図８（ａ）に示すレンズアダプタ４００を背面側から見た分解斜視図である。図８に示すように、レンズアダプタ４００は、固定マウント部材４１０、可動マウント部材４２０、電気通信ユニット４３０、保持部材４７０、及び弾性部材４９０を有する。
【００２６】
図８（ａ）に示すように、固定マウント部材４１０の中央開口部４１２には、交換レンズ１５０の係合爪部１５２ａ〜１５２ｃが挿入される。固定マウント部材４１０の正面側の中央開口部４１２の周囲には、正面側に突出する円環状のマウント部４１１が設けられ、マウント部４１１は、交換レンズ１５０のマウント部１５１と光軸方向に当接する。
【００２７】
固定マウント部材４１０のマウント部４１１の径方向外側には、ビス挿通穴４１４ａ〜４１４ｄが周方向に略等間隔で形成されている。また、図８（ｂ）に示すように、固定マウント部材４１０の背面側内周部は、中央開口部４１２より大径に形成され、当該内周部には、雌ねじ部４１３が形成されている。
【００２８】
可動マウント部材４２０は、図８（ａ）に示すように、固定マウント部材４１０の背面側に配置され、固定マウント部材４１０の雌ねじ部４１３に螺合される円筒状の雄ねじ部４２２を有する。
【００２９】
雄ねじ部４２２の正面側内周部には、交換レンズ１５０の係合爪部１５２ａ〜１５２ｃに対して回転方向に係脱可能に係合する係合爪部４２１ａ〜４２１ｃが周方向に略等間隔で設けられている。雄ねじ部４２２の背面側外周部には、径方向外側に突出する腕部４２９ａ〜４２９ｄが周方向に略等間隔で設けられ、腕部４２９ａ〜４２９ｄは、雄ねじ部４２２の径方向外側に略同軸配置された円環状の操作部４２３に接続されている。
【００３０】
また、図８（ｂ）に示すように、雄ねじ部４２２の背面側には、弾性部材４９０が嵌合される円環状の接触部４２４が背面側に突出して設けられ、雄ねじ部４２２の背面側内周部には、検出凹部４２８が設けられている。
【００３１】
そして、レンズアダプタ４００に交換レンズ１５０を固定するには、固定マウント部材４１０のマウント部４１１に対して交換レンズ１５０のマウント部１５１を当接させた状態で、可動マウント部材４２０の操作部４２３を回転操作する。このとき、可動マウント部材４２０の係合爪部４２１ａ〜４２１ｃが交換レンズ１５０の係合爪部１５２ａ〜１５２ｃに対して回転方向に係合する。これにより、交換レンズ１５０が撮像素子ユニット３００側に引き込まれてレンズアダプタ４００に対して着脱可能に装着される。
【００３２】
図９（ａ）はレンズアダプタ４００の電気通信ユニット４３０と保持部材４７０を正面側から見た分解斜視図、図９（ｂ）は図９（ａ）に示す電気通信ユニット４３０と保持部材４７０を背面側から見た分解斜視図である。
【００３３】
図９に示すように、電気通信ユニット４３０は、電気接続部４４０，４５０、電気接続部４４０を支持する支持部材４６０、及び電気接続部４４０と電気接続部４５０とを電気的に接続するフレキシブル基板４８０を有し、保持部材４７０により保持される。電気接続部４４０は、本発明の第１電気接続部の一例に相当し、電気接続部４５０は、本発明の第２電気接続部の一例に相当する。
【００３４】
保持部材４７０は、電気通信ユニット４３０が固定される固定部４７１と、固定マウント部材４１０に固定される腕部４７５ａ，４７５ｂとを有する。電気接続部４４０は、交換レンズ１５０の電気接続部１５３と電気的に接続され、電気接続部４５０は、固定ユニット２００の電気通信ユニット２５０の端子部材２６０を構成する接点部２６２ａ〜２６２ｊと電気的に接続される。
【００３５】
電気接続部４４０は、ピン形状の接点部４４１ａ〜４４１ｈを有する。接点部４４１ａ〜４４１ｈは、支持部材４６０の正面側に形成された複数の支持孔４６０ａに対して、不図示の付勢部材により交換レンズ１５０側に付勢された状態で光軸方向に移動可能にそれぞれ支持される。複数の支持孔４６０ａは、光軸を中心として円弧状に配置されている。
【００３６】
支持部材４６０の正面側の複数の支持孔４６０ａの下側の壁部には、弾性部材４９０が接触する接触部４６２が設けられ、接触部４６２は、複数の支持孔４６０ａと同様に、光軸を中心として円弧状に設けられている。また、支持部材４６０の接触部４６２の下側両側には、ビス挿通孔４６１ａ，４６１ｂが形成されている。
【００３７】
支持部材４６０の上面部には、光軸を中心として円弧状に形成された円弧凹部４６４が設けられている。支持部材４６０の円弧凹部４６４の正面側には、遮光壁部４６５が立設され、円弧凹部４６４の背面側には、斜め下方に傾斜する切り欠き部４６６が設けられている。遮光壁部４６５は、光軸に対して直交し、かつ、カメラ本体１００の水平方向に沿って突設される。
【００３８】
交換レンズ１５０から入射した被写体光は、交換レンズ１５０と撮像素子ユニット３００との間に配置される部材で反射して撮影画像に写り込むことがある。このため、この反射光は、できるだけ抑えることが望ましい。本実施形態では、円弧凹部４６４の表面に、凹凸の遮光線形状が形成され、この遮光線形状に当たった光が拡散される構造となっている。これにより、不要な光が撮影画像に写り込むことを抑えることが可能となる。
【００３９】
また、交換レンズ１５０から入射した被写体光は、撮像素子ユニット３００の撮像素子３１０に近づくほど集光され、光が強くなる。このため、撮像素子３１０に集光する前にレンズアダプタ４００近傍で弱い光を拡散することで、不要な光が撮影画像に写り込みにくくなる。本実施形態では、遮光壁部４６５は、レンズアダプタ４００近傍に設けられ、先端（上端）が凸形状となっている。これにより、撮像素子３１０に集光する前に被写体光の一部の弱い光を拡散できるため、不要な光が撮像画像に写り込むことを抑えることが可能となる。
【００４０】
フレキシブル基板４８０の正面側中央には、メカニカルスイッチ４８１が実装されている。メカニカルスイッチ４８１は、スイッチ部４８３を有し、スイッチ部４８３が押下されたとき、交換レンズ１５０とカメラ本体１００との間の電気通信のオン／オフを切り替える。本実施形態では、スイッチ部４８３が押下されたとき、交換レンズ１５０とカメラ本体１００との間の電気通信がオンとなる。また、フレキシブル基板４８０の両側には、パターン露出部４８２ａ，４８２ｂが支持部材４６０のビス挿通孔４６１ａ，４６１ｂに対応して設けられている。パターン露出部４８２ａ，４８２ｂは、ビス挿通孔４６１ａ，４６１ｂの周囲に沿って配置されている。
【００４１】
次に、図１０を参照して、メカニカルスイッチ４８１について更に詳しく説明する。交換レンズ１５０の電気接続部１５３とレンズアダプタ４００の交換レンズ１５０側の電気接続部４４０が接触状態であるか否かが分からない不安定な状態で電源供給されると、電気通信不良が生じ、交換レンズ１５０が動作したときに不具合が生じる可能性がある。これを未然に防ぐためには、互いの電気接続部が確実に接触したことを検出し、その後に電源を供給する仕組みが必要である。
【００４２】
図１０は、交換レンズ１５０をレンズアダプタ４００に装着するときのメカニカルスイッチ４８１の動作をカメラ本体１００の背面側から見た部分斜視図である。
【００４３】
図１０（ａ）は、交換レンズ１５０がレンズアダプタ４００に装着される前の状態を示す部分斜視図である。図１０（ａ）に示す状態では、メカニカルスイッチ４８１は、可動マウント部材４２０の検出凹部４２８に対して光軸投影上重なって配置されており、スイッチ部４８３が検出凹部４２８内に位置して押下されていない。このとき、電気通信はオフ状態となるため、交換レンズ１５０とカメラ本体１００との間での電気通信は行われない。
【００４４】
図１０（ｂ）は、メカニカルスイッチ４８１が可動マウント部材４２０に押下される直前の状態を示す部分斜視図である。図１０（ｂ）に示す状態では、可動マウント部材４２０を図中の矢印方向に回転操作されて、交換レンズ１５０が可動マウント部材４２０に装着されるが、図１０（ａ）と同様に、スイッチ部４８３は押下されていない。
【００４５】
また、可動マウント部材４２０の係合爪部４２１ａ〜４２１ｃと交換レンズ１５０の係合爪部１５２ａ〜１５２ｃとが互いに重なり合って係合しているため、交換レンズ１５０がレンズアダプタ４００から脱落することがない。このとき、交換レンズ１５０の電気接続部１５３とレンズアダプタ４００の交換レンズ１５０側の電気接続部４４０とは、確実に接触した状態となっている。その後、可動マウント部材４２０が更に図中の矢印方向に回転操作されることで、スイッチ部４８３が押下される。
【００４６】
図１０（ｃ）は、メカニカルスイッチ４８１のスイッチ部４８３が可動マウント部材４２０の検出凹部４２８から周方向に離れて可動マウント部材４２０に押下されている状態を示す部分斜視図である。図１０（ｃ）に示す状態では、スイッチ部４８３が押下されているため、電気通信はオン状態となり、交換レンズ１５０とカメラ本体１００との間で電気通信を行うことが可能となる。このように、メカニカルスイッチ４８１と検出凹部４２８とを用いて、交換レンズ１５０とカメラ本体１００との間の電気通信のオン／オフを切り替えることで、電気通信不良を未然に防ぐことが可能となる。
【００４７】
図１１は、電気通信ユニット４３０の電気接続部４５０を背面側下方から見た斜視図である。図１２は、レンズアダプタ４００を正面側から光軸方向に見た図である。
【００４８】
図１１に示すように、電気接続部４５０は、複数の開口部４５１を有し、複数の開口部４５１には、それぞれ接点部４５１ａ〜４５１ｊが固定ユニット２００の電気通信ユニット２５０を構成する接点部２６２ａ〜２６２ｊに対応して設けられている。接点部４５１ａ〜４５１ｊは、櫛歯状の雄端子で構成された接点部２６２ａ〜２６２ｊに対応する櫛歯状の雌端子とされている。
【００４９】
開口部４５１は、底面側開口部４５２及び背面側開口部４５３により構成され、底面側開口部４５２は、カメラ本体１００の底面側に開口し、背面側開口部４５３は、カメラ本体１００の背面側に底面側開口部４５２に連続して開口している。
【００５０】
また、図１２に示すように、カメラ本体１００側（固定ユニット２００側）の電気接続部４５０は、交換レンズ１５０側の電気接続部４４０より径方向外側に配置されている。このような配置とすることで、光軸投影上、電気接続部４５０が固定マウント部材４１０と固定ユニット２００の電気通信ユニット２５０に覆われた状態となる。
【００５１】
このため、電気接続部４５０に不用意に触れることがなくなるため、電気的な接触面が汚れることを防ぎ、安定した電気通信を行うことが可能となる。また、本実施形態のレンズアダプタ４００より大きな開口部が必要なレンズアダプタに交換した場合でも、光軸投影上、電気接続部４５０が露出する可能性が低くなり、上記同様に、安定した電気通信を行うことが可能となる。
【００５２】
また、前述したメカニカルスイッチ４８１は、光軸投影上、レンズアダプタ４００の固定マウント部材４１０と可動マウント部材４２０に重なって配置されている。このような配置とすることで、不用意にメカニカルスイッチ４８１を触れることがなくなるため、メカニカルスイッチ４８１の破損等を防ぐことが可能となる。なお、本実施形態では、接触型のメカニカルスイッチを検出手段として例示したが、非接触型のスイッチを用いても良い。
【００５３】
図１３は、レンズアダプタ４００の電気通信ユニット４３０をカメラ本体１００の背面側から見た図である。図１３に示すように、支持部材４６０のビス挿通孔４６１ａ，４６１ｂに挿入された金属製のビス（不図示）は、保持部材４７０の固定部４７１に締結される。このとき、ビスの頭部の座面は、フレキシブル基板４８０のパターン露出部４８２ａ，４８２ｂと電気的に導通している。ビスは、本発明の締結部材の一例に相当する。
【００５４】
フレキシブル基板４８０には、交換レンズ１５０から発生する磁気ノイズを抑制する電気部品や他の基板（不図示）に不用意に大きな電流が流れることを防止する電気部品等を実装するのが望ましい。これらの電気部品には、電気的に独立したグランド（接地）が必要である。グランドパターンを設けるために、電気接続部の配線数を増やす方法があるが、構造が複雑になってユニットが大型化する上、コストアップにつながる。
【００５５】
本実施形態では、前述したように、支持部材４６０のビス挿通孔４６１ａ，４６１ｂに挿入されたビスの頭部がフレキシブル基板４８０のパターン露出部４８２ａ，４８２ｂと電気的に導通している。このため、フレキシブル基板４８０はビスを通してグランドを設けることができ、簡単な構造でコストを抑えた上で、電気部品の実装が可能となる。
【００５６】
図１４は、レンズアダプタ４００をカメラ本体１００に組み込んだ状態での弾性部材４９０の要部断面図である。図１５は、レンズアダプタ４００をカメラ本体１００に組み込んだ状態を示す要部断面図である。
【００５７】
図１４に示すように、弾性部材４９０は、正面側に配置される第１円環部４９２と、背面側に配置される第２円環部４９３とにより、リング状に形成されている。第１円環部４９２は、可動マウント部材４２０の接触部４２４に嵌合される。かかる嵌合状態では、第１円環部４９２は、径方向外側に拡径変形してその内周部４９４が可動マウント部材４２０の接触部４２４に対して径方向内側に圧接した状態で嵌合される。
【００５８】
第２円環部４９３は、背面側（カメラ本体１００側）に向けて径方向外側に次第に拡径するリップ部４９５を有し、リップ部４９５は、第１円環部４９２よりも薄肉に形成されている。そして、リップ部４９５は、固定マウント部材４１０に固定される電気通信ユニット４３０の支持部材４６０に設けられた円弧状の接触部４６２に対して圧接した状態で部分的に接触する。
【００５９】
図１５に示すように、固定部材２１０の底部に形成された空気孔２２５は、レンズアダプタ４００と撮像素子保護ユニット３５０との間の通風抵抗の最も小さい領域に配置されている。これにより、交換レンズ１５０のフォーカス動作やズーム動作等により、この領域に空気の流動が発生した場合には、空気孔２２５に向かって空気が流れる構造となっている。
【００６０】
つまり、レンズアダプタ４００と撮像素子保護ユニット３５０との間の領域に浮遊している塵埃等の異物を空気孔２２５に誘導することができる。ここで、浄化フィルタや接着剤等を空気孔２２５近傍に配置して異物を付着させることで、レンズアダプタ４００と撮像素子保護ユニット３５０との間の領域に異物が残存するのを回避することができる。
【００６１】
図１６は、カメラ本体１００に対してスペーサ２４０を介してレンズアダプタ４００を取り付ける様子を示す斜視図である。図１５に示すように、レンズアダプタ４００は、固定マウント部材４１０のビス挿通穴４１４ａ〜４１４ｄから挿入したビスによりカメラ本体１００の固定部材２１０に設けられた固定部２２３ａ〜２２３ｄにスペーサ２４０を介して着脱可能に締結される。なお、レンズアダプタ４００とカメラ本体１００とを固定する手段は、ビスに限定されず、その他の固定手段であってもよい。
【００６２】
図１７は、カメラ本体１００に取り付けられたレンズアダプタ４００に交換レンズ１５０が装着された状態を示す要部断面図である。図１７に示すように、交換レンズ１５０の電気接続部１５３は、レンズアダプタ４００の電気通信ユニット４３０の電気接続部４４０に電気的に接続されている。また、レンズアダプタ４００の電気通信ユニット４３０の電気接続部４５０は、カメラ本体１００の固定ユニット２００の接点部２６２ａ〜２６２ｊに図中の範囲３９９で接触して電気的に接続されている。これにより、交換レンズ１５０とカメラ本体１００との間で電気的な通信を行うことが可能となる。
【００６３】
また、前述したように、電気通信ユニット４３０の電気接続部４５０の開口部４５１は、底面側開口部４５２及び背面側開口部４５３により略Ｌ字形に形成されているため、カメラ本体１００を上面側から見たとき、接触部の範囲３９９を覆うように配置される。
【００６４】
これにより、レンズアダプタ４００と撮像素子保護ユニット３５０との間の領域に浮遊している塵埃等の異物が堆積したとしても、接触部が覆われているため、異物が貯まらず電気的な導通不良を引き起こしにくくなる。また、空気の流動により空気孔２２５に異物が誘導された場合も、接触部の範囲３９９の周囲が覆われていることで空気の流動が起きにくいため、同様に導通不良を引き起こしにくい。
【００６５】
図１８は、カメラ本体１００の固定ユニット２００から撮像素子保護ユニット３５０を取り外す様子を示す要部断面図である。撮像素子３１０の撮像面３１１に異物が付着した場合、図１８に示すように、カメラ本体１００の正面側から撮像素子保護ユニット３５０を取り外すことで撮像面３１１に付着した異物の除去作業を行うことが可能である。
【００６６】
前述したように、本実施形態では、電気通信ユニット４３０のカメラ本体１００側の電気接続部４５０は、交換レンズ１５０側の電気接続部４４０より径方向外側に設けられている。従って、電気接続部４５０に電気的に接続される固定ユニット２００の電気通信ユニット２５０も電気接続部４４０より径方向外側に設けられる。このため、撮像素子が大型化して、ガラス部材３６０の有効範囲が広くなり、より大きな撮像素子保護ユニット３５０になった場合でも、対応することが可能となる。
【００６７】
以上説明したように、本実施形態の電気通信ユニット４３０は、簡単な構造で、電気的接続の高い信頼性を確保することができるので、カメラ本体１００と交換レンズ１５０との間の良好な通信を実現することができる。
【００６８】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００６９】
１００  カメラ本体
１５０  交換レンズ
４００  レンズアダプタ
４３０  電気通信ユニット
４４０  電気接続部
４４１ａ〜４４１ｈ  接点部
４５０  電気接続部
４５１ａ〜４５１ｊ  接点部
【図１】
0006598484.tif 000002
【図２】
0006598484.tif 000003
【図３】
0006598484.tif 000004
【図４】
0006598484.tif 000005
【図５】
0006598484.tif 000006
【図６】
0006598484.tif 000007
【図７】
0006598484.tif 000008
【図８】
0006598484.tif 000009
【図９】
0006598484.tif 000010
【図１０】
0006598484.tif 000011
【図１１】
0006598484.tif 000012
【図１２】
0006598484.tif 000013
【図１３】
0006598484.tif 000014
【図１４】
0006598484.tif 000015
【図１５】
0006598484.tif 000016
【図１６】
0006598484.tif 000017
【図１７】
0006598484.tif 000018
【図１８】
0006598484.tif 000019